【手続補正書】
【提出日】平成21年2月24日(2009.2.24)
【手続補正１】
【補正対象書類名】特許請求の範囲
【補正対象項目名】全文
【補正方法】変更
【補正の内容】
【特許請求の範囲】
【請求項１】
可撓性および圧縮性のフォーム材料で形成され、脚部と、該脚部からその横断方向に連続しかつ突出する前足部と、該脚部および該前足部によって、その内部に形成される連続キャビティと、該脚部および該前足部によって形成され、患者の足および下肢を該キャビティ内に通じさせる前方開口部と、および、該脚部によって形成され、該前方開口部によって分離される、対向配置の側部領域とを有し、前記前方開口部は、前記側部領域によって形成される側部縁と、前記前足部によって形成される前足縁によって囲まれ、前記脚部および前記前足部内の前記キャビティは、サイズおよび形状において相補的であり、該脚部が前記患者の前記下肢を支持し、該患者の足の踵が前記キャビティ内で浮くようにして、該踵の圧力を減少させ、かつ、該前足部が、該患者の前記足を直立状態に支持し、下垂足を防止するようになっている、本体と、
前記脚部の前記側部領域と共に、該脚部における前記前方開口部の一部を調節可能に閉止するための手段と、および、
前記前方開口部を囲む前記前足縁の実質的に全体に沿って配置された第１のステッチを少なくとも有するステッチパターンとを備え、
該ステッチパターンは、前記前足縁に沿って前記フォーム材料を厚さ方向に圧縮および縮小させて、該第１のステッチが前記フォーム材料の両面において凹んでおり、該ステッチパターンは、該前足縁に十分に近接しており、該前足縁を構造的に補強して、前記前足部の弾性変形および塑性変形を抑止している、
仰向きに横たわる人のための踵支持用ブーツ。
【請求項２】
前記第１のステッチが、前記前足縁から実質的に一定の間隔で配置されている、請求項１に記載の踵支持用ブーツ。
【請求項３】
前記ステッチパターンが、前記前足縁から一定でない間隔で配置された第２のステッチをさらに含む、請求項２に記載の踵支持用ブーツ。
【請求項４】
前記第２のステッチが、実質的に波形状を有する、請求項３に記載の踵支持用ブーツ。
【請求項５】
前記第２のステッチが、前記第１のステッチより前記前足縁に近接する、請求項３に記載の踵支持用ブーツ。
【請求項６】
前記第１のステッチおよび前記第２のステッチが、前記前足縁に沿って各々連続する、請求項３に記載の踵支持用ブーツ。
【請求項７】
前記ステッチパターンを構成するステッチのうち少なくとも１つが、前記前足縁から一定でない間隔で配置されている、請求項１に記載の踵支持用ブーツ。
【請求項８】
前記ステッチパターンが、前記前足縁に沿って連続する、請求項１に記載の踵支持用ブーツ。
【請求項９】
前記ステッチパターンが、前記前方開口部を囲む前記側部縁の実質的に全体に沿って配置された、請求項１に記載の踵支持用ブーツ。
【請求項１０】
前記前足縁が、前記前足部の横断方向に実質的に垂直な面にあるアーチ状縁部と、および、前記前足部の横断方向に実質的に平行であり、前記アーチ状縁部と側部縁とを相互連結する一対の直線縁部を含む、請求項１に記載の踵支持用ブーツ。
【請求項１１】
前記ステッチパターンが、前記アーチ状縁部および前記一対の直線縁部に沿って連続し、前記脚部に対して前記前足部が屈曲することを抑止する、請求項１０に記載の踵支持用ブーツ。
【請求項１２】
前記閉止手段が、前記脚部に取り付けられたストラップ、該ストラップと各々関連づけられたバックル、および該ストラップ上の締結手段を含み、該ストラップの各々は、前記側部領域の一方に取り付けられ、かつ、十分に長く、前記前方開口部を横断し、それぞれの前記バックルに通じて、それ自体と重なり合い、前記締結手段が該ストラップをそれ自体に固定するようになっている、請求項１に記載の踵支持用ブーツ。
【請求項１３】
前記本体の前記側部領域の一方が、前記側部領域の他方よりも大きく、前記前方開口部が前記閉止手段によって閉じられた場合に、前記脚部内において該前方開口部を閉じるのに十分であるサイズを有する、請求項１２に記載の踵支持用ブーツ。
【請求項１４】
前記前方開口部の反対側にある、前記本体の前記後部領域の摩擦を低減するための手段をさらに含み、前記患者が横たわる前記ベッド上における前記本体の滑り運動が促進される、請求項１に記載の踵支持用ブーツ。
【請求項１５】
前記前方開口部の反対側にある、前記本体の前記後部領域を補強するための手段をさらに含み、前記本体が前記脚部および前記前足部の間で座屈することが抑止される、請求項１に記載の踵支持用ブーツ。
【請求項１６】
前記本体の前記キャビティ内に配置可能な別体の支持クッションをさらに含み、該支持クッションは、前記本体の前記脚部内に位置し、該キャビティ内に前記患者の下肢が支持され、該キャビティ内に該患者の踵が浮くようになる、請求項１に記載の踵支持用ブーツ。
【請求項１７】
前記支持クッションが、可撓性および圧縮性の材料で形成される、請求項１６に記載の踵支持用ブーツ。
【請求項１８】
前記支持クッションが、前記本体の前記脚部内で前記キャビティの表面に固定される、請求項１７に記載の踵支持用ブーツ。
【請求項１９】
可撓性および圧縮性のフォーム材料で形成され、脚部と、該脚部からその横断方向に連続しかつ突出する前足部と、該脚部および該前足部によって、その内部に形成される連続キャビティと、該脚部および該前足部によって形成され、患者の足および下肢を該キャビティ内に通じさせる前方開口部と、および、該脚部によって形成され、該前方開口部によって分離される、対向配置の側部領域とを有し、前記前方開口部は、前記側部領域によって形成される側部縁と、前記前足部によって形成される前足縁によって囲まれ、前記脚部および前記前足部内の前記キャビティは、サイズおよび形状において相補的であり、該脚部が前記患者の前記下肢を該患者が横たわるベッドの上方に支持し、該患者の足の踵が前記キャビティ内で浮くようにして、該踵の圧力を減少させ、かつ、該前足部が、前記患者の前記足を直立状態に支持し、下垂足を防止するようになっている、本体と、
前記脚部に取り付けられたストラップ、該ストラップと各々関連づけられたバックル、および該ストラップ上の締結手段を含み、該ストラップの各々は、前記側部領域の一方に取り付けられ、かつ、十分に長く、前記前方開口部を横断し、それぞれの前記バックルに通じて、それ自体と重なり合い、前記締結手段が該ストラップをそれ自体に固定するようになっていて、前記脚部の前記側部領域と共に、該脚部における前記前方開口部の一部を調節可能に閉止するための手段と、および、
前記前方開口部を囲む前記側部縁と前記前足縁の実質的に全体に沿って配置された複列のステッチを有するステッチパターンとを備え、
該ステッチパターンは、前記前足縁に沿って前記フォーム材料を厚さ方向に圧縮および縮小させて、前記複列のステッチが前記フォーム材料の両面において凹んでおり、該ステッチパターンは、該前足縁に十分に近接しており、該前足縁を構造的に補強して、前記前足部の弾性変形および塑性変形を抑止しており、該複列のステッチは、前記前足縁から実質的に一定の間隔を有する第１のステッチと、および、該第１のステッチより前記側部縁および前足縁に近接し、該前足縁から一定でない間隔を有する第２のステッチとからなる、
仰向きに横たわる人のための踵支持用ブーツ。
【請求項２０】
前記前足縁が、前記前足部の横断方向に実質的に垂直な面にあるアーチ状縁部と、および、前記前足部の横断方向に実質的に平行であり、前記アーチ状縁部と側部縁とを相互連結する一対の直線縁部を含み、前記ステッチパターンが、前記アーチ状縁部および前記一対の直線縁部に沿って連続し、前記脚部に対して前記前足部が屈曲することを抑止する、請求項１９に記載の踵支持用ブーツ。